(57)【要約】【課題】上載荷重の制限の厳しい盛土によって形成されるプラットホームにドア装置を設置するための簡易な構成のホームドアの基礎構造を提供する。【解決手段】盛土１１によって形成されるプラットホーム１に可動式ホーム柵２を設置するためのホームドアの基礎構造である。  そして、プラットホームの線路側縁部１ａに設置される可動式ホーム柵の支柱２１を接続させるスラブ板３と、スラブ板の線路側縁部３ａから離隔した位置において、上部の鋼管部４１と下部のスパイラル部４２とを有して盛土の内部に打設されるスパイラル杭４とを備え、スパイラル杭の上端部４１１はスラブ板の貫通穴に挿通されて連結部５を介して結合される。【選択図】図１
2019143449.tif 000002
【特許請求の範囲】
【請求項１】
盛土によって形成されるプラットホームにドア装置を設置するためのホームドアの基礎構造であって、
前記プラットホームの線路側縁部に設置される前記ドア装置の支持部を接続させるスラブ板と、
前記スラブ板の線路側縁部から離隔した位置において、上部の鋼管部と下部のスパイラル部とを有して前記盛土の内部に打設されるスパイラル杭とを備え、
前記スパイラル杭の上端部は前記スラブ板の貫通穴に挿通されて連結部を介して結合されていることを特徴とするホームドアの基礎構造。
【請求項２】
前記スパイラル杭の上端部の外周面には突起部が設けられており、前記貫通穴と前記上端部との隙間に充填された固化材と前記突起部とによって、前記スパイラル杭の軸まわりの回転が阻止されることを特徴とする請求項１に記載のホームドアの基礎構造。
【請求項３】
前記スパイラル杭の上端部の外周面にはネジ溝が刻まれており、前記連結部は前記ネジ溝にねじ込まれる鍔部を有するワッシャーナットを備えていることを特徴とする請求項１又は２に記載のホームドアの基礎構造。
【請求項４】
前記ワッシャーナットの鍔部は、前記スラブ板の下面側に配置されることを特徴とする請求項３に記載のホームドアの基礎構造。
【請求項５】
請求項１乃至４のいずれか一項に記載のホームドアの基礎構造の構築方法であって、
前記スパイラル杭を前記盛土に打設する工程と、
前記スパイラル杭が打設された位置に合わせて前記スラブ板に前記貫通穴を穿孔する工程と、
前記スパイラル杭の上端部に前記貫通穴を通すことで前記スラブ板を設置する工程と、
前記連結部により前記スラブ板と前記スパイラル杭の上端部とを結合する工程とを備えたことを特徴とするホームドアの基礎構造の構築方法。
【請求項６】
上部の鋼管部と下部のスパイラル部とを有するスパイラル杭を地盤にねじ込むためのねじ込み治具であって、
前記鋼管部の外径より大きな内径が形成された筒体部と、
前記筒体部の外周面から径方向の外側に向けて張り出される突出棒部と、
前記筒体部の内周面に設けられて前記鋼管部の外周面に設けられた受力部に接触可能となるように形成された凸部とを備えたことを特徴とするねじ込み治具。
【発明の詳細な説明】
【技術分野】
【０００１】
本発明は、盛土によって形成されるプラットホームに、可動式ホーム柵やプラットホームスクリーンドアなどのドア装置を設置するためのホームドアの基礎構造、その構築方法及びねじ込み治具に関するものである。
【背景技術】
【０００２】
特許文献１には、盛土によって形成された盛土式プラットホームに、プラットホームドア装置を設置するための固定構造及び固定方法が開示されている。この文献には、プラットホームドア装置を載置するために盛土の上面にコンクリート版を設置し、周囲に注入されたグラウトによって盛土に固定されるロックボルトでコンクリート版を支持させる構造が記載されている。
【０００３】
この特許文献１に開示された方法では、ロックボルトを盛土に打設して削孔との隙間にグラウトを注入するために、注入装置などの施工機械や施工設備をプラットホーム上に設置することになる。
【０００４】
一方、特許文献２には、平鋼を螺旋状に捩じり加工したスパイラル部と、その上部に接続された鋼管とによって構成されたスパイラル杭が開示されている。このスパイラル杭は、小型標識やカーブミラーなどの支柱を支持させるために、地盤に基礎として埋め込まれる。
【先行技術文献】
【特許文献】
【０００５】
【特許文献１】特開２０１４−６２４０７号公報
【特許文献２】特開２０１７−４０１１０号公報
【発明の概要】
【発明が解決しようとする課題】
【０００６】
しかしながらプラットホームにおける工事は、列車の運行スケジュールや利用客の安全確保などの制限を受けながら実施しなければならないため、プラットホーム上に設置する施工機械や施工設備は、少ない方が効率よく施工することができる。さらには、線路側が土留め壁によって保護される盛土式プラットホーム上に、設計荷重を超えるような大型の施工機械などを設置する場合は、事前に土留め壁を補強する工事などを実施しなければならない。
【０００７】
そこで、本発明は、上載荷重の制限の厳しい盛土によって形成されるプラットホームにドア装置を設置するための簡易な構成のホームドアの基礎構造、その構築方法及びねじ込み治具を提供することを目的としている。
【課題を解決するための手段】
【０００８】
前記目的を達成するために、本発明のホームドアの基礎構造は、盛土によって形成されるプラットホームにドア装置を設置するためのホームドアの基礎構造であって、前記プラットホームの線路側縁部に設置される前記ドア装置の支持部を接続させるスラブ板と、前記スラブ板の線路側縁部から離隔した位置において、上部の鋼管部と下部のスパイラル部とを有して前記盛土の内部に打設されるスパイラル杭とを備え、前記スパイラル杭の上端部は前記スラブ板の貫通穴に挿通されて連結部を介して結合されていることを特徴とする。
【０００９】
ここで、前記スパイラル杭の上端部の外周面には突起部が設けられており、前記貫通穴と前記上端部との隙間に充填された固化材と前記突起部とによって、前記スパイラル杭の軸まわりの回転が阻止される構成とすることができる。
【００１０】
また、前記スパイラル杭の上端部の外周面にはネジ溝が刻まれており、前記連結部は前記ネジ溝にねじ込まれる鍔部を有するワッシャーナットを備えている構成とすることもできる。さらに、前記ワッシャーナットの鍔部は、前記スラブ板の下面側に配置される構成とすることができる。
【００１１】
また、ホームドアの基礎構造の構築方法の発明は、前記スパイラル杭を前記盛土に打設する工程と、前記スパイラル杭が打設された位置に合わせて前記スラブ板に前記貫通穴を穿孔する工程と、前記スパイラル杭の上端部に前記貫通穴を通すことで前記スラブ板を設置する工程と、前記連結部により前記スラブ板と前記スパイラル杭の上端部とを結合する工程とを備えたことを特徴とする。
【００１２】
一方、ねじ込み治具の発明は、上部の鋼管部と下部のスパイラル部とを有するスパイラル杭を地盤にねじ込むためのねじ込み治具であって、前記鋼管部の外径より大きな内径が形成された筒体部と、前記筒体部の外周面から径方向の外側に向けて張り出される突出棒部と、前記筒体部の内周面に設けられて前記鋼管部の外周面に設けられた受力部に接触可能となるように形成された凸部とを備えたことを特徴とする。
【発明の効果】
【００１３】
このように構成された本発明のホームドアの基礎構造は、ドア装置の支持部を接続させるスラブ板と盛土の内部に打設されるスパイラル杭とを備えている。そして、スパイラル杭の上端部は、スラブ板の貫通穴に挿通されて連結部を介して結合されている。
【００１４】
スパイラル杭は、専用の重機を使用しなくても盛土に打設することができるので、上載荷重の制限の厳しい盛土によって形成されるプラットホームであっても、ドア装置を設置するための簡易な構成のホームドアの基礎構造を設けることができる。
【００１５】
また、スパイラル杭の上端部の外周面に突起部を設けて、スラブ板の貫通穴に充填された固化材と突起部とによってスパイラル杭の軸まわりの回転が阻止される構造とすることで、構築後にスパイラル杭が回転してスラブ板や盛土との結合を弱めることを防ぐことができる。
【００１６】
さらに、スパイラル杭の上端部のネジ溝にワッシャーナットをねじ込ませることで、スラブ板を鍔部で下から受けたり、鍔部で上から押し付けたりすることができるようになり、一体性に優れた連結部とすることができる。特に、ワッシャーナットの鍔部をスラブ板の下面側に配置することで、スラブ板を下からスパイラル杭４によって支持させることができる。
【００１７】
そして、ホームドアの基礎構造の構築方法の発明では、スパイラル杭が打設された位置に合わせてスラブ板に貫通穴を穿孔するため、例えば地中障害物等により設計通りの位置にスパイラル杭を打設できず、若干のずれが生じた場合でも別の位置に貫通穴を穿孔することが可能であり、スパイラル杭の打設精度を厳密に管理する必要がなく、迅速に施工を行うことができる。
【００１８】
また、ねじ込み治具の発明では、スパイラル杭の上部の鋼管部に筒体部を嵌めることで、人力などの小さい力でも盛土にスパイラル部をねじ込ませることができるようになるので、プラットホーム上に大型の施工機械や施工設備などを設置しなくても施工可能となる。
【図面の簡単な説明】
【００１９】
【図１】本発明の実施の形態のホームドアの基礎構造が構築されたプラットホームの構成を説明する断面図である。
【図２】本発明の実施の形態のホームドアの基礎構造が構築されたプラットホームの構成を説明する平面図である。
【図３】スパイラル杭の構成を説明する図であって、（ａ）は側面図、（ｂ）は（ａ）のＡ−Ａ矢視方向で見た断面図である。
【図４】ねじ込み治具の構成を説明する図であって、（ａ）は平面図、（ｂ）は側面図である。
【図５】長尺のねじ込み治具の構成を説明する側面図である。
【図６】本発明の実施の形態のホームドアの基礎構造の連結部の構成を説明する断面図である。
【図７】スパイラル杭の上端部に設けられる突起部の構成を説明する平面図である。
【図８】実施例１のホームドアの基礎構造の連結部の構成を説明する断面図である。
【発明を実施するための形態】
【００２０】
以下、本発明の実施の形態について図面を参照して説明する。図１，２は、本実施の形態で例示するプラットホーム１の構成を説明する図である。プラットホーム１は、列車が走行する線路Ｒに沿って構築される。
【００２１】
このプラットホーム１は、土砂や粘土などの盛土１１によって形成された盛土式プラットホームであって、線路Ｒ側は土留め壁１２によって保護されている。盛土１１は、Ｎ値が２〜５程度の比較的に軟らかい地盤であることが多い。
【００２２】
プラットホーム１の上層としては、例えばモルタルなどの下地層１３１の上にタイルなどの床仕上げ層１３が設けられる。また、アスファルトコンクリート等が敷き均された舗装部を上層とすることもできる。さらに、上層の線路Ｒ側には、ノンスリップタイルや点字ブロックが配置される。
【００２３】
プラットホーム１の線路側縁部１ａに設置されるドア装置には、可動式ホーム柵やプラットホームスクリーンドアなどがある。本実施の形態では、ドア装置として可動式ホーム柵２を例に説明する。
【００２４】
可動式ホーム柵２は、列車の乗降口に対向させる開閉式の扉部２３と、扉部２３を可動可能に支持して開放時に収容させる戸袋部２２とによって主に構成される。戸袋部２２は、図２に示すように、プラットホーム１の線路側縁部１ａの延伸方向に間隔を置いて配置される支柱２１，２１によって支持される。本実施の形態の可動式ホーム柵２では、この支柱２１が支持部となる。
【００２５】
支柱２１は、支圧板２４の上に立てられ、支圧板２４は固定アンカー２５によってプラットホーム１の上層に固定される。本実施の形態では、図１に示すように、固定アンカー２５の先端は、後述するスラブ板３に埋設されて定着される。
【００２６】
本実施の形態のホームドアの基礎構造は、上述したような盛土１１によって形成されるプラットホーム１にドア装置である可動式ホーム柵２を設置するため支持構造である。可動式ホーム柵２を設置すると、自重の他に、風荷重（列車通過に伴う風荷重も含む）や群集による水平荷重も作用することになる。
【００２７】
本実施の形態のホームドアの基礎構造は、可動式ホーム柵２の支柱２１を接続させるスラブ板３と、スラブ板３のホーム側縁部３ｂ側の領域で盛土１１の内部に打設されるスパイラル杭４と、スラブ板３とスパイラル杭４とを結合させる連結部５とによって、主に構成される。
【００２８】
スラブ板３には、プラットホーム１の線路側縁部１ａに設置される可動式ホーム柵２の支柱２１，２１を載置させる。この支柱２１，２１を載せるためのスラブ板３は、線路側縁部３ａから反対側のホーム側縁部３ｂに向けて延伸される。
【００２９】
図２に示すように、例えば平面視長方形に形成されるスラブ板３は、支柱２１の設置箇所に合わせて、プラットホーム１の線路側縁部１ａの延伸方向（線路Ｒの延伸方向）に間隔を置いて設置される。
【００３０】
スラブ板３は、例えば繊維補強コンクリートやレジンコンクリートなどの高強度のコンクリート材料によって成形される。例えば、セメントと、最大粒度が2mm以下の骨材粒子と、一次粒子粒度が1μm以下のポゾラン反応粒子と、長さが2mm以上で長さと径の比が20以上の金属繊維とを主に含有する、金属繊維強化コンクリートによって成形することができる。
【００３１】
このような金属繊維強化コンクリートの力学特性は、引張強度が12 MPa以上、曲げ強度が25 MPa以上、圧縮強度が150 MPa以上となり、非常に高い強度を示す。また、緻密な成形物になるため、耐久性の高いスラブ板３を形成することができる。
【００３２】
一方、レジンコンクリートは、セメントに代えて液状の樹脂を結合材として骨材を結合させたコンクリートである。レジンコンクリートは、樹脂と触媒による重合反応によって高い結合力で短時間に硬化することから、高強度で耐久性に優れた緻密な成形物にすることができる。レジンコンクリートの力学特性は、引張強度が10 MPa以上、曲げ強度が20 MPa以上、圧縮強度が100 MPa以上となる。
【００３３】
このような金属繊維強化コンクリートやレジンコンクリートによってスラブ板３を製作するに際しては、通常のコンクリートを使用する場合のように鉄筋を配置する必要がない。また、ＰＣ鋼線を配置してプレストレスを導入する必要もない。例えば、スラブ板３は、長辺側の長さを1.2mから1.5m程度、短辺側の長さ（幅）を1m程度、厚さを70mm程度にしたパネル状に成形できる。このようなスラブ板３は、打設したスパイラル杭４の位置に合わせるなど任意の位置に貫通穴３１を穿孔することができる。
【００３４】
スラブ板３を盛土１１に定着させるためのスパイラル杭４は、図１及び図３（ａ）に示すように、上部の鋼管部４１と、下部のスパイラル部４２とを備えている。例えば鋼管部４１を1mから1.5m程度、スパイラル部４２を1mから2m程度の長さにすることができる。また、杭径は、70mmから120mm程度、好ましくは100mm程度にすることができる。
【００３５】
スパイラル杭４は、スラブ板３の線路側縁部３ａから離隔したホーム側縁部３ｂ側に配置される。スパイラル杭４と土留め壁１２との間に介在される盛土１１を、スパイラル杭４に作用する水平力に対する抵抗にするためには、土留め壁１２からある程度の距離を離した位置にスパイラル杭４を打設させる必要がある。
【００３６】
１枚のスラブ板３に対しては、4本から8本程度のスパイラル杭４，・・・が配置されることになる。例えばスラブ板３の線路側縁部３ａからホーム側縁部３ｂに向けて、１列から３列程度となるようにスパイラル杭４，・・・が配置される。
【００３７】
図３（ａ）に示すように、スパイラル部４２は、例えば平鋼を螺旋状に捩じり加工することによって製作することができる。スパイラル部４２は、４５度のねじり面を有しているので、引き抜きと押し込みの両方向に同等の鉛直支持力を発揮させることができる。
【００３８】
鋼管部４１は、円筒状に形成されていて、水平力に対して強い抵抗体とすることができる。この鋼管部４１の下端に切り込みを設けて、その溝にスパイラル部４２の上端を挿し込んで溶接などによって固着させる。また、鋼管部４１の上端部４１１（スパイラル杭４の上端部４１１）は、外周面にネジ溝が刻まれた上端ネジ部４３に形成される。
【００３９】
また、この上端ネジ部４３には、後述する突起部５３を設けるための上端穴部４４が穿孔される。この上端穴部４４は、鋼管部４１に対してボルト５３１を横断させるために対向する一対で設けられる。ここでは、図７に示すように、平面視十字状にボルト５３１，５３１を配置するために、上下２段にそれぞれ対となる上端穴部４４，４４が穿孔される。
【００４０】
さらに、鋼管部４１の外周面には、後述するねじ込み治具６，６Ａの凸部６３に接触させる受力部４５が設けられる。この受力部４５は、細い鋼棒や鉄筋などによって形成され、溶接などで鋼管部４１の外周面に固着される。例えば、図３（ｂ）に示すように、鋼管部４１の周方向に９０度ずつの等間隔で複数の受力部４５，・・・が取り付けられる。
【００４１】
この受力部４５は、スパイラル杭４を盛土１１にねじ込む際に使用されるねじ込み治具６，６Ａからの回転力を受けるために設けられる。図４（ａ），（ｂ）に示すように、ねじ込み治具６は、筒体部６１と、筒体部６１の外周面から径方向の外側に向けて張り出される複数の突出棒部６２，・・・と、筒体部６１の内周面に設けられる複数の凸部６３，・・・とによって、主に構成される。
【００４２】
筒体部６１は、図３（ｂ）に示すように、鋼管部４１の外径より大きな内径が形成される。そして、筒体部６１の内周面には、複数の受力部４５，・・・にそれぞれ接触させるための複数の凸部６３，・・・が取り付けられる。凸部６３は、細い鋼棒や鉄筋などによって形成され、溶接などで筒体部６１の内周面に固着される。
【００４３】
筒体部６１の下端には円環状のフランジ部６４が設けられ、突出棒部６２の端部は、筒体部６１の外周面とフランジ部６４の上面とに溶接などで接合される。突出棒部６２は、例えば平面視十字状になるように複数取り付けられ、使用時には補助管６２１の端部が挿し込まれて長さが調整される。
【００４４】
図５には、筒体部６１Ａが長尺となるねじ込み治具６Ａを示している。このねじ込み治具６Ａは、スパイラル杭４の上端部４１１が低い位置にある場合に、作業員が作業しやすい高さで回転させる際に使用される。このため、筒体部６１Ａの下端付近に凸部６３，・・・が設けられ、長尺の筒体部６１Ａの上端に突出棒部６２，・・・が取り付けられる。
【００４５】
図６に示すように、スパイラル杭４の上端部４１１は、スラブ板３の貫通穴３１に挿通されて連結部５を介して結合される。この貫通穴３１は、鋼管部４１の外径より一回り大きな内径の穴に形成される。例えば、鋼管部４１の外径より10mmから20mm程度大きい内径の貫通穴３１を設ける。
【００４６】
連結部５は、上端ネジ部４３にねじ込まれるワッシャーナット（５１，５２）と、上端ネジ部４３の外周面から外側に突出される複数の突起部５３，・・・と、貫通穴３１と上端ネジ部４３の外周面との隙間に充填された固化材５４とによって、主に構成される。
【００４７】
ワッシャーナット（５１，５２）は、鍔部５１１，５２１を有しており、スラブ板３の下面側に配置される下ワッシャーナット５１の鍔部５１１は、スラブ板３の下面に接触させる。一方、スラブ板３の上面側に配置される上ワッシャーナット５２の鍔部５２１は、スラブ板３の上面に接触させる。
【００４８】
突起部５３は、無収縮モルタルなどの固化材５４に対して回転抵抗となる程度に突出されていればよい。ここでは、ボルト５３１とナット５３２によって形成される突起部５３を例に説明する。
【００４９】
ボルト５３１には、例えば頭部のない円柱状の寸切りボルトを使用することができる。図７に示すように、対向する上端穴部４４，４４にボルト５３１を挿通させ、鋼管部４１の両側に均等に突出されたボルト５３１の両端に、ナット５３２，５３２をそれぞれ装着することで突起部５３，５３を形成する。なお、頭部のある通常のボルトを使用し、一方の突起部はボルトヘッドによって形成してもよい。
【００５０】
ボルト５３１，５３１を上下２段に平面視十字状に配置することで、上端部４１１の周方向に９０度ずつ間隔を置いた４箇所に突起部５３，・・・を設けることができる。この結果、スパイラル杭４に軸まわりに回転しようとする力が生じたとしても、突起部５３，・・・の周囲の硬化した固化材５４の抵抗によって回転が阻止されることになる。
【００５１】
次に、本実施の形態のホームドアの基礎構造の構築方法について説明する。
既存のプラットホーム１に対して施工する場合、少なくともスラブ板３を設置する範囲の床仕上げ層１３及び下地層１３１は事前に撤去される。また、必要に応じてスラブ板３の厚さ分だけ盛土１１の上面を掘り下げる。
【００５２】
続いて、スパイラル杭４を盛土１１に打設する工程を実施する。スパイラル杭４を打設する際には、まず鋼管部４１の長さ分だけ盛土１１を余掘りしておく。そして、スパイラル杭４をその余掘りした孔に建て込む。
【００５３】
盛土１１の上面から突出した鋼管部４１には、ねじ込み治具６を装着する。ねじ込み治具６の突出棒部６２，・・・には、長尺の補助管６２１，・・・を継ぎ足し、小さな力で回転力が与えられるようにする。
【００５４】
４本の補助管６２１，・・・に対してそれぞれ作業員を配置して一方向（例えば時計回り）に回転させると、図３（ｂ）に示すように、ねじ込み治具６の凸部６３，・・・が鋼管部４１の受力部４５，・・・に引っ掛かって、スパイラル杭４に回転力が付与されることになる。回転力が付与されたスパイラル杭４は、スパイラル部４２が盛土１１にねじ込まれて下方に向けて推進する。
【００５５】
スパイラル杭４のねじ込みは、上端部４１１が地面に近付いたときに、長尺のねじ込み治具６Ａ（図５参照）に切り替えられて続けられる。所望する深さまでスパイラル杭４をねじ込んだ後は、隣接する施工箇所に移動して、次のスパイラル杭４の打設を行う。また、スパイラル杭４と盛土１１の削孔との隙間には、山砂などを充填する。
【００５６】
本実施の形態では、図２に示すように、１枚のスラブ板３に対して幅方向３本の前後２列で合計６本のスパイラル杭４，・・・が打設される。スパイラル杭４は、作業員の人力で盛土１１に打設することができるが、突出する上端部４１１，・・・の位置は施工箇所ごとに微妙に異なる。
【００５７】
そこで、６本の上端部４１１，・・・の相対的な位置関係を計測し、スラブ板３のそれらに対応する位置に貫通穴３１，・・・を穿孔する。このスラブ板３は、金属繊維強化コンクリートによって成形されていて鉄筋が配筋されていないので、穿孔する際に鉄筋を避ける必要がなく、計測結果に応じて正確な位置に貫通穴３１，・・・を穿孔することができる。
【００５８】
スラブ板３を設置する前に、図６に示すように、鋼管部４１の上端ネジ部４３に下ワッシャーナット５１をねじ込む。下ワッシャーナット５１は、スラブ板３を設置したい高さに合わせて装着位置が調整される。
続いてその上方の上端穴部４４，・・・には、図７に示すようにボルト５３１を挿し込み、鋼管部４１の両側に突出した端部に、それぞれナット５３２，５３２を装着する。
【００５９】
次にスラブ板３を搬送して、盛土１１の上面から突出したスパイラル杭４の上端部４１１，・・・に貫通穴３１，・・・を通すことでスラブ板３を設置する。スラブ板３の貫通穴３１，・・・は、上端部４１１，・・・の位置に合わせて穿孔されているので、容易に据え付けることができる。
【００６０】
スラブ板３の貫通穴３１と上端部４１１との間の隙間には、図６に示すように無収縮モルタルなどの固化材５４を充填する。そして、スラブ板３の上面から突出した上端ネジ部４３には、上ワッシャーナット５２をねじ込んで締め付ける。また、鋼管部４１の内空には、必要に応じて無収縮モルタルを充填する。
【００６１】
このようにして連結部５によりスラブ板３とスパイラル杭４の上端部４１１とを結合した後に、スラブ板３の線路側縁部３ａ付近の支柱２１を立てる箇所に対して、固定アンカー２５，・・・を打ち込む。そして、スラブ板３上の所定の範囲に下地層１３１及び床仕上げ層１３を設ける。続いて、固定アンカー２５に支柱２１の支圧板２４を固定して、可動式ホーム柵２を設置する。
【００６２】
次に、本実施の形態のホームドアの基礎構造、その構築方法及びねじ込み治具の作用について説明する。
このように構成された本実施の形態のホームドアの基礎構造は、可動式ホーム柵２の支柱２１を接続させるスラブ板３と盛土１１の内部に打設されるスパイラル杭４とを備えている。そして、スパイラル杭４の上端部４１１は、スラブ板３の貫通穴３１に挿通されて連結部５を介して結合される。
【００６３】
スパイラル杭４は、専用の重機を使用しなくても作業員の人力で打設することができるので、上載荷重の制限の厳しい盛土１１によって形成されるプラットホーム１であっても、可動式ホーム柵２を設置するための簡易な構成のホームドアの基礎構造を設けることができる。
【００６４】
また、スパイラル杭４の上端部４１１の外周面に突起部５３，・・・を設けて、スラブ板３の貫通穴３１に充填された固化材５４と突起部５３とによってスパイラル杭４の軸まわりの回転が阻止されるように回転防止措置を施す。可動式ホーム柵２には、列車通過に伴う風荷重などの水平荷重が繰り返し作用し、スラブ板３を介してスパイラル杭４が回転するような力が伝達されることがあるが、回転防止措置を施すことによって、スラブ板３との結合や盛土１１との付着を弱めるようなスパイラル杭４の回転の発生を防ぐことができる。
【００６５】
さらに、上端部４１１の上端ネジ部４３に下ワッシャーナット５１と上ワッシャーナット５２をねじ込ませることで、スラブ板３を鍔部５１１で下から受けつつ、鍔部５２１で上から押し付けることができるようになり、一体性に優れた連結部５とすることができる。特に、下ワッシャーナット５１の鍔部５１１をスラブ板３の下面側に配置することで、スラブ板３を下から確実に支持させることができる。すなわち、スラブ板３に作用した鉛直荷重を、下ワッシャーナット５１を介して確実にスパイラル杭４に伝達させることができる。
【００６６】
そして、ホームドアの基礎構造の構築方法では、複数のスパイラル杭４，・・・が打設された位置に合わせてスラブ板３に貫通穴３１，・・・を穿孔するため、スパイラル杭４，・・・の打設精度を厳密に管理する必要がなく、人力で迅速に施工を行うことができる。
【００６７】
特に、高強度の繊維補強コンクリートによって成形されたスラブ板３には鉄筋やＰＣ鋼線が配置されないため、穿孔位置の制約を受けることなくスラブ板３の任意の箇所に穿孔が可能で、複数のスパイラル杭４，・・・が打設された位置に容易に合わせることができる。例えば、盛土１１内の地中障害物等により設計通りの位置にスパイラル杭４を打設できずに若干のずれが生じた場合でも、実際に打設された位置に合わせて貫通穴を穿孔することができる。
【００６８】
また、スパイラル杭４の上部の鋼管部４１にねじ込み治具６，６Ａの筒体部６１，６１Ａを嵌めて、受力部４５，・・・に凸部６３，・・・を引っ掛けることで、人力などの小さい力でも盛土１１に簡単にスパイラル部４２をねじ込ませることができるようになる。このため、プラットホーム１上に大型の施工機械や施工設備などを設置しなくても、迅速に施工することができる。
【実施例１】
【００６９】
以下、前記実施の形態で説明したスラブ板３とスパイラル杭４との連結部５とは別の形態の連結部５Ａについて、図８を参照しながら説明する。なお、前記実施の形態で説明した内容と同一乃至均等な部分の説明については、同一用語又は同一符号を付して説明する。
【００７０】
この実施例１で説明する連結部５Ａは、スラブ板３に作用する鉛直荷重が大きい場合や、盛土１１が軟弱でスパイラル杭４に大きな鉛直支持力が期待できない場合などに適用される。要するに、スラブ板３に作用する鉛直荷重をすべてスパイラル杭４に伝達させるのではなく、盛土１１の上面にも分散して作用させるようにする。
【００７１】
実施例１の連結部５Ａでは、上端ネジ部４３に下ワッシャーナット５１を装着しない。一方、スラブ板３の下面から均等に荷重が伝達されるように、モルタルなどで高さ調整層５５を設ける。高さ調整層５５の平滑な上面にスラブ板３の下面の全面を密着させることで、局所荷重を発生させることなく均等に鉛直荷重を盛土１１に伝達させることができるようになる。
【００７２】
高さ調整層５５にスラブ板３を設置した後は、スラブ板３の貫通穴３１と上端部４１１との間の隙間に無収縮モルタルなどの固化材５４を充填する。そして、スラブ板３の上面から突出した上端ネジ部４３には、上ワッシャーナット５２をねじ込んで締め付ける。
【００７３】
このように構成された連結部５Ａは、上ワッシャーナット５２の鍔部５２１で上からスラブ板３を盛土１１に対して押し付ける。この結果、スラブ板３に作用した荷重を、スパイラル杭４だけでなく、周辺の盛土１１にも分散して伝達できるようになり、軟弱な盛土１１や上載荷重が大きくなるプラットホーム１においても適用することができるようになる。
なお、他の構成及び作用効果については、前記実施の形態と略同様であるので説明を省略する。
【００７４】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００７５】
例えば、前記実施の形態では、ドア装置として可動式ホーム柵２を設置する場合について説明したが、これに限定されるものではなく、プラットホームスクリーンドアをドア装置として設置する場合にも本発明は適用できる。また、ドア装置の支持部は支柱２１に限定されるものではなく、ドア装置の形態によっては、脚部や台座部などが支持部となることもある。
【００７６】
また、前記実施の形態では、ねじ込み治具６，６Ａを使用してスパイラル杭４を人力のみで盛土１１に打設する方法について説明したが、これに限定されるものではなく、小型の打撃装置をスパイラル杭４の上端に装着して打撃を付与することによっても打設を行うことができる。
【００７７】
さらに、前記実施の形態では、１枚のスラブ板３に対して６本のスパイラル杭４，・・・を結合させる例について説明したが、これに限定されるものではなく、配置するスパイラル杭４の本数、配置パターン、スラブ板の中での配置される平面位置については、設計によって任意に設定することができる。
【００７８】
また、前記実施の形態では、無筋の繊維補強コンクリートによって成形されたスラブ板３を例に説明したが、これに限定されるものではなく、鉄筋コンクリート製やＰＣコンクリート製のスラブ板であってもよい。この場合は、スパイラル杭４の打設位置管理を厳密に行うか、鉄筋等を避けた位置に大き目の貫通穴を設けておくことになる。
【００７９】
また、前記実施の形態では、ねじ込み冶具６，６Ａの突出棒部６２は、平面視十字状になるように複数取り付けられると説明したが、これに限定されるものではなく、例えば平面視１２０度毎に３本取り付けられても良く、突出棒部６２の本数は任意に設定することができる。
【符号の説明】
【００８０】
１      ：プラットホーム
１１    ：盛土
１ａ    ：線路側縁部
２      ：可動式ホーム柵（ドア装置）
２１    ：支柱（支持部）
３      ：スラブ板
３ａ    ：線路側縁部
３１    ：貫通穴
４      ：スパイラル杭
４１    ：鋼管部
４１１  ：上端部
４２    ：スパイラル部
４３    ：上端ネジ部（ネジ溝）
４５    ：受力部
５，５Ａ：連結部
５１    ：下ワッシャーナット（ワッシャーナット）
５１１  ：鍔部
５２    ：上ワッシャーナット（ワッシャーナット）
５２１  ：鍔部
５３    ：突起部
５４    ：固化材
６，６Ａ：ねじ込み治具
６１，６１Ａ：筒体部
６２    ：突出棒部
６３    ：凸部
Ｒ      ：線路
【図１】
2019143449.tif 000003
【図２】
2019143449.tif 000004
【図３】
2019143449.tif 000005
【図４】
2019143449.tif 000006
【図５】
2019143449.tif 000007
【図６】
2019143449.tif 000008
【図７】
2019143449.tif 000009
【図８】
2019143449.tif 000010